(57)【要約】【課題】  １つのアンプを用い、複数のスピーカから異なる音を出力することが可能なスピーカシステムを提供する。【解決手段】  複数のスピーカ４ａ〜４ｃと、複数のスピーカ４ａ〜４ｃに複数の音源７ａ、７ｂからの信号を増幅して出力するアンプ３と、スピーカ４ａ〜４ｃとアンプ３との導通を開閉しスピーカ４ａ〜４ｃ毎に設けた複数の第１スイッチ５ａ〜５ｃと、各音源７ａ、７ｂとアンプ３との導通を開閉し音源７ａ、７ｂに接続する信号線毎に設けた複数の第２スイッチ６ａ〜６ｃと、複数の第１のスイッチ５ａ〜５ｃの任意の第１スイッチ５ａ〜５ｃと複数の第２スイッチ６ａ〜６ｃの任意の第２スイッチ６ａ〜６ｃとを連動させて開閉制御を行う制御手段２とを備えたものである。【選択図】  図１
2014027577.tif 000002
【特許請求の範囲】
【請求項１】
複数のスピーカと、前記複数のスピーカに複数の音源からの信号を増幅して出力するアンプと、前記スピーカと前記アンプとの導通を開閉し前記スピーカ毎に設けた複数の第１スイッチと、前記各音源と前記アンプとの導通を開閉し前記音源に接続する信号線毎に設けた複数の第２スイッチと、前記複数の第１のスイッチの任意の第１スイッチと前記複数の第２スイッチの任意の第２スイッチとを連動させて開閉制御を行う制御手段とを備えたことを特徴とするスピーカシステム。
【請求項２】
前記複数の第２スイッチの内、任意の２つ以上の第２スイッチを連動させて開閉制御を行うことを特徴とする請求項１に記載のスピーカシステム。
【発明の詳細な説明】
【技術分野】
【０００１】
本発明は、複数のスピーカを備えたスピーカシステムに関する。
【背景技術】
【０００２】
従来のスピーカシステムは、例えば、特許文献１に開示されるものがある。このスピーカシステムは、音楽源に接続する１つのメインアンプに対して、複数の端末装置であるスピーカを配置し、前記メインアンプと前記スピーカの間に給電線と光ファイバーを用いた伝送線を接続したものである。
【先行技術文献】
【特許文献】
【０００３】
【特許文献１】特開平９−９３８６号公報
【発明の概要】
【発明が解決しようとする課題】
【０００４】
従来のスピーカシステムは、複数のスピーカから同じ音を出力するものであり、スピーカごとに異なる音を出力できないといった問題点があった。
【０００５】
そこで本発明は、前記問題点を解消し、１つのアンプを用い、複数のスピーカから異なる音を出力することが可能なスピーカシステムを提供することを目的とする。
【課題を解決するための手段】
【０００６】
本発明のスピーカシステムは、複数のスピーカと、前記複数のスピーカに複数の音源からの信号を増幅して出力するアンプと、前記スピーカと前記アンプとの導通を開閉し前記スピーカ毎に設けた複数の第１スイッチと、前記各音源と前記アンプとの導通を開閉し前記音源に接続する信号線毎に設けた複数の第２スイッチと、前記複数の第１のスイッチの任意の第１スイッチと前記複数の第２スイッチの任意の第２スイッチとを連動させて開閉制御を行う制御手段とを備えたものである。
【発明の効果】
【０００７】
以上の構成によって、本発明は、所期の目的を達成することができ、１つのアンプを用い、複数のスピーカから異なる音を出力することが可能なスピーカシステムを提供することができる。
【図面の簡単な説明】
【０００８】
【図１】本発明の第１実施形態のスピーカシステムの構成図。
【発明を実施するための形態】
【０００９】
以下、本発明の第１実施形態を添付図面に基づいて説明する。
【００１０】
本発明の実施形態のスピーカシステム１は、制御手段２と、アンプ３と、複数のスピーカ４ａ、４ｂ、４ｃと、スピーカ４ａ〜４ｃ毎に設けた複数の第１スイッチ５ａ、５ｂ、５ｃ及び、音源７ａ、７ｂに設けた複数の第２スイッチ６ａ、６ｂ、６ｃとから主に構成されている。なお、７ａ、７ｂは、スピーカシステム１が出力する音の音源であり、８ａ、８ｂ、８ｃは、アンプ３とスピーカ４ａ〜４ｃとを接続する第１信号線であり、９ａ、９ｂ、９ｃは、アンプ３と音源７ａ、７ｂとを接続する第２信号線であり、１０は、音源７ｂが出力する音に関するデータを記憶する記憶部である。
【００１１】
制御手段２は、マイクロコントローラであり、半導体チップに情報処理システムを組み込んだものである。制御手段２は、複数の第１スイッチ５ａ〜５ｃと複数の第２スイッチ６ａ〜６ｃに接続しており、第１、第２スイッチ５ａ〜５ｃ、６ａ〜６ｃの開閉を制御するものである。
【００１２】
アンプ３は、オーディオ用のデジタルアンプであり、各音源７ａ、７ｂから出力された信号を増幅し、増幅した信号をスピーカ４ａ〜４ｃに出力するものである。本発明では、アンプ３を１つ備えている。アンプ３は、入力部と出力部とをそれぞれ１つ備えたものであり、各音源７ａ、７ｂからの信号は、１つの入力部に集約され、各スピーカ４ａ〜４ｃへ出力される信号は、１つの出力部から分配されるものである。
【００１３】
スピーカ４は、例えば、車載用のスピーカ４であり、５ｃｍ以下の小型で再生可能な周波数帯域は１６０Ｈｚ〜２０ｋＨｚ、８０ｄＢ以上出力可能で一般的なフルレンジのスピーカ４である。
【００１４】
第１スイッチ５は、アンプ３と各スピーカ４ａ〜４ｃとを接続する第１信号線８ａ〜８ｃ毎に設けられており、複数の第１スイッチ５ａ〜５ｃを備えている。第１スイッチ５ａ〜５ｃは、アンプ３とスピーカ４ａ〜４ｃとの導通を開閉するものである。
【００１５】
第２スイッチ６は、アンプ３と各音源７ａ、７ｂとを接続する第２信号線９ａ〜９ｃ毎に設けられており、複数の第２スイッチ６ａ〜６ｃを備えている。第２スイッチ６ａ〜６ｃは、アンプ３と各音源７ａ、７ｂとの導通を開閉するものである。
【００１６】
音源７ａは、ＣＤ再生装置、ラジオなどの音響機器であり、音源７ｂは、車両に設けた車両制御手段であり、本実施形態では、２つの出力ポートが、各々第２信号線９ｂ、９ｃと接続しており、車両制御手段７ｂは、例えば、第２信号線９ｂ、９ｃに接続された２つのポートから異なる警報音を同時に出力することが可能である。
【００１７】
記憶部１０は、ＥＥＰＲＯＭなどの不揮発性の記憶部であり、その記憶内容は、スピーカ４ｂ、４ｃで出力する警報音のデータである。警報音のデータは、異なる種類の警報音である。
【００１８】
制御手段２は、第１スイッチ５ａ〜５ｃと第２スイッチ６ａ〜６ｃを連動させて高速で開閉する。例えば、第１スイッチ５ａと第２スイッチ６ａを一緒に閉じ、他のスイッチ５ｂ、５ｃ、６ｂ、６ｃを開き、また、第１スイッチ５ｂと第２スイッチ６ｂを一緒に閉じ、他のスイッチ５ａ、５ｃ、６ａ、６ｃを開き、また、第１スイッチ５ｃと第２スイッチ６ｃを一緒に閉じ、他のスイッチ５ａ、５ｂ、６ａ、６ｂを開く。
【００１９】
以上の構成によって、スピーカシステム１は、第１スイッチ５ａと第２スイッチ６ａを一緒に閉じ、他のスイッチ５ｂ、５ｃ、６ｂ、６ｃを開くことによって、音源７ａの信号をスピーカ４ａで吹鳴させることができる。また、第１スイッチ５ｂと第２スイッチ６ｂを一緒に閉じ、他のスイッチ５ａ、５ｃ、６ａ、６ｃを開くことによって、第２信号線９ｂを介して音源７ｂの信号をスピーカ４ｂで吹鳴させることができる。また、第１スイッチ５ｃと第２スイッチ６ｃを一緒に閉じ、他のスイッチ５ａ、５ｂ、６ａ、６ｂを開くことによって、第２信号線９ｃを介して音源７ｂの信号をスピーカ４ｃで吹鳴させることができる。
【００２０】
例えば、音源７ａとアンプ３との間に設けた第２スイッチ６ａと、スピーカ４ａとアンプ３の間に設けた第１スイッチ５ａを一定時間閉じて接続し、スピーカ４ａから音源７ａからの信号を出力する。そのあと、すぐに第２スイッチ６ａと第１スイッチ５ａを開いて切断し、同様に第２スイッチ６ｂ、第１スイッチ５ｂを一定時間閉じて接続し、スピーカ４ｂから第２信号線９ｂに接続した音源７ｂからの信号を出力する。そのあと、すぐに第２スイッチ６ｂと第１スイッチ５ｂを開いて切断し、同様に第２スイッチ６ｃ、第１スイッチ５ｃを一定時間閉じて接続し、スピーカ４ｃから第２信号線９ｃに接続した音源７ｂからの信号を出力する。以後、任意の警告音を鳴らし終えるまで、第１スイッチ５ａ〜５ｃと第２スイッチ６ａ〜６ｃの切り替えが繰り返される。
【００２１】
第１スイッチ５ａ〜５ｃと第２スイッチ６ａ〜６ｃの切り替えを素早く実施することによって、１つのアンプ３を用いて、複数の音源７ａ、７ｂの信号をそれに対応する複数のスピーカ４ａ〜４ｃから同時に出力しているように運転者に認識させることができる。
【００２２】
スピーカ４ａ〜４ｃとアンプ３との接続を切り替える第１スイッチ５ａ〜５ｃ、第２スイッチ６ａ〜６ｃとの速度に関して説明する。
【００２３】
また、表現可能な音の高さはサンプリング周波数の半分であるため、再生したい音の周波数の２倍でサンプリングする。例えば、２０ｋＨｚまでの周波数を含む音を再生する場合、その倍の４０ｋＨｚ以上の周波数でサンプリングすればよく、１０ｋＨｚまでの周波数を含む音を再生する場合、その倍の２０ｋＨｚ以上の周波数でサンプリングすればよい。だが、実際に人間の耳で聴くことが可能な周波数帯域は２０〜２０ｋＨｚと言われている。ゆえに、２０ｋＨｚ以上の音はカットしても警告音としては支障ないため、警告音は２０ｋＨｚ以下の周波数帯域とする。例えば４４．１ｋＨｚのサンプリングで再生する場合、１／４４１００＝０．０２２６７５ｍｓとなり、一つの音に対して０．０２２６７５ｍｓずつ再生し続けることで、違和感なく音を再生することができる。この間隔でそれぞれの音に対して出力先のスピーカ４ａ、４ｂ、４ｃを切り替える
【００２４】
また、設置しているスピーカ４ａ〜４ｃの数以下の音を出力する場合、使用しないスピーカの第１スイッチと第２スイッチをとばして、出力したいスピーカ４ａ〜４ｃからのみ音を出力させてもよい。
【００２５】
また、スピーカ４ａ〜４ｃを設置する位置は、車両運転者に対して気づかせるため最も効果の高い位置、例えば、警報音に関連する警告対象の近傍に設置する。例えば、サイドブレーキの場合は、サイドブレーキの未解除という警告を知らせたい場合、サイドブレーキ付近にスピーカ４ａ〜４ｃを設置すれば、サイドブレーキを見ることなく、サイドブレーキの警告であると報知することができる。また、シートベルトの未装着で発進した場合も同様に、シートベルトの付近にスピーカ４ａ〜４ｃを設置する。その他にも、半ドア状態で発進した場合には、個々のドアにスピーカ４ａ〜４ｃを設置することで、どのドアが半ドア状態であるか報知することが可能である。  以上のように、スピーカ４ａ〜４ｃを警報内容に関連した位置に設置することによって、警告すべき対象から警報音が聞こえることとなる。
【００２６】
再生する音データは、単一周波数のみの音以外のものとする。８００Ｈｚなどといった単一周波数のみの音を使用すると、音の位置を把握しづらくなる。そのため、複数の音が同時に鳴った場合にどの位置からの警告音なのか瞬時に判断できず、警告音として好ましくない。１６０〜２０ｋＨｚの範囲でなるべく広い周波数帯域を含んだ音を使用することが望ましい。（出力する音に制限はないが、瞬時に気づかせることを目的としているため、なるべく１秒以内の短い音とすることが望ましい。言葉で「サイドブレーキを解除してください」と警告する場合、完全に聞くまで認知判断ができず、動作までに１秒以内の音に比べて時間がかかってしまう。運転時には、４０ｋｍ／ｈで走行している場合でも１秒でおよそ１１．１ｍ進んでしまうため、１秒でも短く警告を伝えたいという意図がある。その点、１秒以内の音にすれば、位置と音ですぐに何を警告しているのか判断できる。）
【００２７】
また、スピーカ４ａ〜４ｃは、全て１つである必要はなく、スピーカ４ａ〜４ｃの個数は、任意であり、例えば、各スピーカ４ａ〜４ｃをそれぞれ２つ設けたものであってもよい。
【００２８】
また、第１スイッチ５ａ〜５ｃを連動させる、つまり、第１スイッチ５ａと５ｂをともに、閉じることによって、２つのスピーカ４ａと４ｂから同じ音を出力させることで、２つのスピーカ４ａと４ｂとの間（実際にはスピーカを設置していない位置）から音が鳴っているように出力させることが可能となる。以上のように構成することによって、スピーカ４ａ〜４ｃの数以上に音の見かけ上の発生位置を増加することができる。
【００２９】
また、２つのスピーカ４ａ、４ｂから出力させる音量に差を出すことで、スピーカ４ａ、４ｂ間であれば、聞こえる位置を変えることも可能である。
【００３０】
以上によって、複数のスピーカ４ａ〜４ｃから異なる音を一度に出力させるためには、音の種類に対して同数のアンプ、もしくは、同数の入出力数があるアンプが必要であったが、入出力数が１つで、かつ１つのアンプを用いて複数のスピーカ４ａ〜４ｃから異なる音を出力すると、アンプ３を１つにすることで、消費電力を抑制し、スペースの削減ができ、複数のスピーカ４ａ〜４ｃから異なる音を出力させることで、車両運転者には同時に異なる音を出力することができる。
【００３１】
なお、本発明では、スピーカ４ａ〜４ｃを３個設置していたが、本実施形態で説明した３個に限定されるものではなく、任意である。
【産業上の利用可能性】
【００３２】
本発明は、複数のスピーカを備えたスピーカシステムに利用可能である。
【符号の説明】
【００３３】
１        スピーカシステム
２        制御手段
３        アンプ
４ａ、４ｂ、４ｃ  スピーカ
５ａ、５ｂ、５ｃ  第１スイッチ
６ａ、６ｂ、６ｃ  第２スイッチ
７ａ      音源（音響機器）
７ｂ      音源（車両制御手段）
８ａ、８ｂ、８ｃ  第１信号線
９ａ、９ｂ、９ｃ  第２信号線
１０        記憶部
【図１】
2014027577.tif 000003